(57)【要約】【課題】消費者への情報の提供と併せて、汚染された空気の浄化機能を有する光触媒酸化チタン含有情報媒体を提供することを目的とする。【解決手段】情報媒体用の紙シート１に、紫外線反応型あるいは可視光線応答型の光触媒酸化チタン１ｂを含有させてなるものである。【選択図】          図２
0003100639.tif 000002
【実用新案登録請求の範囲】
【請求項１】
情報媒体用の紙シートに、紫外線反応型あるいは可視光線応答型の光触媒酸化チタンを含有させてなることを特徴とする光触媒酸化チタン含有情報媒体。
【考案の詳細な説明】
【０００１】
【考案の属する技術分野】
本考案は、光触媒酸化チタン含有情報媒体に関する。
【０００２】
【従来の技術】
従来、新聞、雑誌、フリーペーパー、チラシ、パンフレット、カタログ等のように紙を使った情報媒体は多数存在する。
【０００３】
【考案が解決しようとする課題】
しかしながら、これらは全て情報が消費者へ提供されるよう機能しているのにすぎないものである。
【０００４】
一方、室内には、ホコリ、花粉、タバコの煙、細菌、ウイルス、悪臭成分、シックハウスの原因であるガス等を含む汚染された空気が存在する。
【０００５】
本考案は、上記した問題点に鑑み、消費者への情報の提供と併せて、汚染された空気の浄化機能を有する光触媒酸化チタン含有情報媒体を提供することを目的とする。
【０００６】
【課題を解決するための手段】
上記目的を達成するために、本考案に係る光触媒酸化チタン含有情報媒体は、情報媒体用の紙シートに、紫外線反応型あるいは可視光線応答型の光触媒酸化チタンを含有させてなることを特徴とする。
【０００７】
【考案の実施の形態】
以下、本考案の実施の形態について図面を参照して詳細に説明する。
図１は、乾式パルプに固定された光触媒酸化チタンの機能を示す説明図であり、図２は、光触媒酸化チタン含有紙シートの正面図であり、図３は、同上紙シートを使った雑誌を示す斜視図であり、図４は、使用状態を示す説明図である。
【０００８】
図１に示したように、乾式パルプ１ａの繊維表面に超微粒子の光触媒酸化チタン１ｂを付着、固定させる。そして、この酸化チタン１ｂが付着、固定された乾式パルプ１ａ（約１５〜２０％）を原料として、図２に示したように光触媒酸化チタン含有紙シート１を形成する。なお、１ｃは光触媒酸化チタン１ｂに吸着された有害物質を示す。
【０００９】
さらに、図３に示したように、この光触媒酸化チタン含有紙シート１に印刷を施し、雑誌２を製作する。雑誌２の外に、書籍、新聞、パンフレット、カタログ、チラシ、地図、時刻表、楽譜、歌集、手帳、日記帳など何れの情報媒体でもよい。
【００１０】
前記紙シート１における紙の種類としては、和紙、洋紙、加工紙等の何れでもよい。また、前記光触媒酸化チタン１ｂも、紫外線反応型、可視光線応答型の何れの酸化チタンを用いることができる。
【００１１】
繊維表面に光触媒酸化チタン１ｂを付着、固定させる手段としては、既述の乾式パルプ１ａに直接固定させる乾式固着方式が好適である。その理由は、（１）バインダーが不要であること、（２）分散固着により光触媒効果が高いこと、（３）パルプ繊維の強度、耐久性に優れる等による。ただし、本考案は、これ以外の方法を排除するものではなく、例えば、液状の酸化チタンをエアガンにより吹き付ける、刷毛やローラで塗布する、酸化チタンの液槽内に浸漬する等によることも可能である。
【００１２】
次に、本考案の使用の一例を図４に基づいて説明する。蛍光灯３が点灯している部屋４で光触媒酸化チタン含有紙シート１を使った雑誌２を読むと、蛍光灯３に含まれる紫外線が当該紙シート１へ照射されることで紙シート表面で酸化還元反応が起き、悪臭や微生物などの有機物を水と二酸化炭素に分解し、部屋４内の汚れた空気を浄化するものである。したがって、読者５は部屋４内で快適にすごすことができる。
【００１３】
【考案の効果】
本考案は以上のとおり、情報媒体用の紙シートに、紫外線反応型あるいは可視光線応答型の光触媒酸化チタンを含有させてなるものであるから、室内の種々な悪臭や微生物などが含まれる汚染された空気を浄化することができる。
【００１４】
しかして、従来は、情報媒体を提供する企業は、消費者に対して、情報の内容で他企業と競い合うだけであったが、本考案によれば、環境に優しい企業の広告として他企業との差別化を図ることが可能となる。したがって、低廉なコストで、企業のイメージアップに大きく貢献するものである。
【図面の簡単な説明】
【図１】軟式パルプに固定された光触媒酸化チタンの機能を示す説明図である。
【図２】光触媒酸化チタン含有紙シートの正面図である。
【図３】同上紙シートを使った雑誌を示す斜視図である。
【図４】使用状態を示す説明図である。
【符号の説明】
１    紙シート
１ｂ  光触媒酸化チタン
【図１】
0003100639.tif 000003
【図２】
0003100639.tif 000004
【図３】
0003100639.tif 000005
【図４】
0003100639.tif 000006
【手続補正書】
【提出日】平成15年8月22日(2003.8.22)
【手続補正１】
【補正対象書類名】明細書
【補正対象項目名】実用新案登録請求の範囲
【補正方法】変更
【補正の内容】
【実用新案登録請求の範囲】
【請求項１】
紫外線反応型あるいは可視光線応答型の光触媒酸化チタンを含有させた新聞、雑誌、書籍、パンフレット、カタログ、チラシ等の情報媒体用の紙シートを設け、該紙シートに印刷を施してなることを特徴とする光触媒酸化チタン含有情報媒体。
【手続補正２】
【補正対象書類名】明細書
【補正対象項目名】０００６
【補正方法】変更
【補正の内容】
【０００６】
【課題を解決するための手段】
上記目的を達成するために、本考案に係る光触媒酸化チタン含有情報媒体は、紫外線反応型あるいは可視光線応答型の光触媒酸化チタンを含有させた新聞、雑誌、書籍、パンフレット、カタログ、チラシ等の情報媒体用の紙シートを設け、該紙シートに印刷を施してなることを特徴とする。


【手続補正３】
【補正対象書類名】明細書
【補正対象項目名】００１３
【補正方法】変更
【補正の内容】
【００１３】
【考案の効果】
本考案は以上のとおり、新聞、雑誌、書籍、パンフレット、カタログ、チラシ等の情報媒体用の紙シートに、紫外線反応型あるいは可視光線応答型の光触媒酸化チタンを含有させてなるものであるから、室内の種々な悪臭や微生物などが含まれる汚染された空気を浄化することができる。


【手続補正４】
【補正対象書類名】明細書
【補正対象項目名】００１４
【補正方法】変更
【補正の内容】
【００１４】
しかして、従来は、それら情報媒体を提供する企業は、消費者に対して、情報の内容で他企業と競い合うだけであったが、本考案によれば、環境に優しい企業の広告として他企業との差別化を図ることが可能となる。したがって、低廉なコストで、企業のイメージアップに大きく貢献するものである。




【手続補正書】
【提出日】平成15年11月21日(2003.11.21)
【手続補正１】
【補正対象書類名】明細書
【補正対象項目名】全文
【補正方法】変更
【補正の内容】
【実用新案登録請求の範囲】
【請求項１】紫外線反応型あるいは可視光線応答型の光触媒酸化チタンを含有させた新聞、雑誌、書籍、パンフレット、カタログ、チラシ等の情報媒体を構成する複数枚の紙シートを設け、該各紙シートに印刷を施してなることを特徴とする光触媒酸化チタン含有情報媒体。
【考案の詳細な説明】
【０００１】
【考案の属する技術分野】
本考案は、光触媒酸化チタン含有情報媒体に関する。
【０００２】
【従来の技術】
従来、新聞、雑誌、フリーペーパー、チラシ、パンフレット、カタログ等のように紙を使った情報媒体は多数存在する。
【０００３】
【考案が解決しようとする課題】
しかしながら、これらは全て情報が消費者へ提供されるよう機能しているのにすぎないものである。
【０００４】
一方、室内には、ホコリ、花粉、タバコの煙、細菌、ウイルス、悪臭成分、シックハウスの原因であるガス等を含む汚染された空気が存在する。
【０００５】
本考案は、上記した問題点に鑑み、消費者への情報の提供と併せて、汚染された空気の浄化機能を有する光触媒酸化チタン含有情報媒体を提供することを目的とする。
【０００６】
【課題を解決するための手段】
上記目的を達成するために、本考案に係る光触媒酸化チタン含有情報媒体は、紫外線反応型あるいは可視光線応答型の光触媒酸化チタンを含有させた新聞、雑誌、書籍、パンフレット、カタログ、チラシ等の情報媒体を構成する複数枚の紙シートを設け、該各紙シートに印刷を施してなることを特徴とする。
【０００６】
【考案の実施の形態】
以下、本考案の実施の形態について図面を参照して詳細に説明する。
図１は、乾式パルプに固定された光触媒酸化チタンの機能を示す説明図であり、図２は、光触媒酸化チタン含有紙シートの正面図であり、図３は、同上紙シートを使った雑誌を示す斜視図であり、図４は、使用状態を示す説明図である。
【０００７】
図１に示したように、乾式パルプ１ａの繊維表面に超微粒子の光触媒酸化チタン１ｂを付着、固定させる。そして、この酸化チタン１ｂが付着、固定された乾式パルプ１ａ（約１５〜２０％）を原料として、図２に示したように光触媒酸化チタン含有紙シート１を形成する。なお、１ｃは光触媒酸化チタン１ｂに吸着された有害物質を示す。
【０００８】
さらに、図３に示したように、複数枚の光触媒酸化チタン含有紙シート１に印刷を施し、雑誌２を製作する。雑誌２の外に、書籍、新聞、パンフレット、カタログ、チラシ、地図、時刻表、楽譜、歌集、手帳、日記帳など何れの情報媒体でもよい。
【０００９】
前記紙シート１における紙の種類としては、和紙、洋紙、加工紙等の何れでもよい。また、前記光触媒酸化チタン１ｂも、紫外線反応型、可視光線応答型の何れの酸化チタンを用いることができる。
【００１０】
繊維表面に光触媒酸化チタン１ｂを付着、固定させる手段としては、既述の乾式パルプ１ａに直接固定させる乾式固着方式が好適である。その理由は、（１）バインダーが不要であること、（２）分散固着により光触媒効果が高いこと、（３）パルプ繊維の強度、耐久性に優れる等による。ただし、本考案は、これ以外の方法を排除するものではなく、例えば、液状の酸化チタンをエアガンにより吹き付ける、刷毛やローラで塗布する、酸化チタンの液槽内に浸漬する等によることも可能である。
【００１１】
次に、本考案の使用の一例を図４に基づいて説明する。蛍光灯３が点灯している部屋４で光触媒酸化チタン含有紙シート１を使った雑誌２を読むと、蛍光灯３に含まれる紫外線が当該紙シート１へ照射されることで紙シート表面で酸化還元反応が起き、悪臭や微生物などの有機物を水と二酸化炭素に分解し、部屋４内の汚れた空気を浄化するものである。したがって、読者５は部屋４内で快適にすごすことができる。
【００１３】
【考案の効果】
本考案は以上のとおり、新聞、雑誌、書籍、パンフレット、カタログ、チラシ等の情報媒体を構成する複数枚の紙シートに、紫外線反応型あるいは可視光線応答型の光触媒酸化チタンを含有させてなるものであるから、室内の種々な悪臭や微生物などが含まれる汚染された空気を浄化することができる。
【００１４】
しかして、従来は、それら情報媒体を提供する企業は、消費者に対して、情報の内容で他企業と競い合うだけであったが、本考案によれば、環境に優しい企業の広告として他企業との差別化を図ることが可能となる。したがって、低廉なコストで、企業のイメージアップに大きく貢献するものである。
【図面の簡単な説明】
【図１】軟式パルプに固定された光触媒酸化チタンの機能を示す説明図である。
【図２】光触媒酸化チタン含有紙シートの正面図である。
【図３】同上紙シートを使った雑誌を示す斜視図である。
【図４】使用状態を示す説明図である。
【符号の説明】
１    紙シート
１ｂ  光触媒酸化チタン